(57)【要約】【課題】  手軽に洗浄することができ、コンパクトに持ち運ぶことができ、さらにケースとして用いることができる食事用エプロンを提供する。【解決手段】  食事用エプロン１０は、前面１１と、前面１１との間で空間１８を形成する背面１２とを備えている。背面１２上部に首掛け部１３が形成されている。不使用時に背面１２が首掛け部１３から丸められまたは折り畳まれ、丸められまたは折り畳まれた背面１２は、前面１１と背面１２との間の空間１８内に収納される。【選択図】  図２
2005089903.tif 000002
【特許請求の範囲】
【請求項１】
食事用エプロンにおいて、
前面と、
前面に連結されるとともに、前面との間で空間を形成する背面とを備え、
背面は使用者の胸に当接するとともに、背面の上部に使用者の首に引掛かる首掛け部が形成され、
不使用時に首掛け部から背面を内側へ丸めまたは折り畳み、丸めたまたは折り畳んだ背面を前面と背面との間の空間に収納することを特徴とする食事用エプロン。
【請求項２】
食事用エプロンにおいて、
前面と、
前面に連結されるとともに、前面との間で空間を形成する背面とを備え、
背面は使用者の胸に当接するとともに、背面の上部に使用者の首に引掛かる首掛け部が形成され、
背面は分割自在の下方部と上方部とにより構成され、下方部と上方部は締結具により互いに連結されていることを特徴とする食事用エプロン。
【請求項３】
背面の上方部は、不使用時に丸められまたは折り畳まれ、上記上方部を前面と背面の下方部との間に形成された空間内に収納することを特徴とする請求項２記載の食事用エプロン。
【請求項４】
前面は前方に位置する前面部と側方に位置する一対の側面部とを有し、前面部の高さは一対の側面部の高さより高いことを特徴とする請求項１乃至３のいずれか記載の食事用エプロン。
【請求項５】
前面と背面との間の空間に食事用器具が収納されることを特徴とする請求項１乃至４のいずれか記載の食事用エプロン。
【請求項６】
食事用器具は、ナイフ、フォーク、スプーンの少なくともいずれか一つであることを特徴とする請求項５記載の食事用エプロン。
【請求項７】
前面に係合穴が設けられ、背面にこの係合穴に係合される係合突起が設けられていることを特徴とする請求項１乃至６のいずれか記載の食事用エプロン。
【発明の詳細な説明】
【技術分野】
【０００１】
本発明は食事中に使用する食事用エプロンに係り、とりわけコンパクトに折畳むことができ、かつケースとしても用いることができる食事用エプロンに関する。
【背景技術】
【０００２】
食事中に幼児あるいは老人等はエプロンをして、食物の汚れが衣類に付着しないようにしている。このようなエプロンは布製となっており、汚れがつくたびに洗濯している。
【発明の開示】
【発明が解決しようとする課題】
【０００３】
上述のように、従来より布製の食事用エプロンが知られているが、このエプロンは汚れがつくたびに洗濯しなければならず煩雑である。
【０００４】
このような場合、手軽に洗浄することができると共に、汚れを容易に拭きとることができる食事用エプロンが求められている。
【０００５】
本発明はこのような点を考慮してなされたものであり、手軽に洗浄でき、かつコンパクトに持ち運ぶことができ、さらにケースとしても使用することができる食事用エプロンを提供することを目的とする。
【課題を解決するための手段】
【０００６】
本発明は、食事用エプロンにおいて、前面と、前面に連結されるとともに、前面との間で空間を形成する背面とを備え、背面は使用者の胸に当接するとともに、背面の上部に使用者の首に引掛かる首掛け部が形成され、不使用時に首掛け部から背面を内側へ丸めまたは折り畳み、丸めまたは折り畳まれた背面を前面と背面との間の空間に収納することを特徴とする食事用エプロンである。
【０００７】
本発明は、食事用エプロンにおいて、前面と、前面に連結されるとともに、前面との間で空間を形成する背面とを備え、背面は使用者の胸に当接するとともに、背面の上部に使用者の首に引掛かる首掛け部が形成され、背面は分割自在の下方部と上方部とにより構成され、下方部と上方部は締結具により互いに連結されていることを特徴とする食事用エプロンである。
【０００８】
本発明は、背面の上方部は、不使用時に丸められまたは折り畳まれ、上記上方部を前面と背面の下方部との間に形成された空間内に収納することを特徴とする食事用エプロンである。
【０００９】
本発明は、前面は前方に位置する前面部と側方に位置する一対の側面部とを有し、前面部の高さは一対の側面部の高さより高いことを特徴とする食事用エプロンである。
【００１０】
本発明は、前面と背面との間の空間に食事用器具が収納されることを特徴とする食事用エプロンである。
【００１１】
本発明は、食事用器具は、ナイフ、フォーク、スプーンの少なくともいずれか一つであることを特徴とする食事用エプロンである。
【００１２】
本発明は、前面に係合穴が設けられ、背面にこの係合穴に係合される係合突起が設けられていることを特徴とする食事用エプロンである。
【発明の効果】
【００１３】
以上のように本発明によれば、食事用エプロンを手軽に洗浄することができるとともに、コンパクトに持ち運ぶことができる。また食事用エプロンをケースとして用いることができる。
【発明を実施するための最良の形態】
【００１４】
以下、図面を参照して本発明の実施の形態について説明する。  
図１乃至図５は、本発明による食事用エプロンの第１の実施の形態を示す図である。
【００１５】
図１乃至図５に示すように、食事用エプロン１０は幼児が食事中に使用するものであり、前面１１と、前面１１に連結されるとともに前面１１との間で空間１８を形成する背面１２とを備えている。
【００１６】
このうち背面１２は幼児の胸に当接するようになっており、この背面１２の上部には幼児の首に引掛かる首掛け部１３が形成されている。背面１２は、不使用時において首掛け部１３側から内側へ丸められまたは折り畳まれ、このようにして丸められまたは折り畳まれた背面１２は前面１１と背面１２との間の空間１８内に収納されるようになっている（図２および図３参照）。
【００１７】
ところで前面１１は前方に位置する前面部１１ａと、側方に位置する一対の側面部１１ｂとを有し、このうち前面部１１ａの高さは一対の側面部１１ｂの高さより高くなっている。また前面部１１ａの上端部１１ｃは上部外方へ突出している。このように上端部１１ｃが上部外方へ突出することにより、空間１８の上部開口１８ａが拡大し、後述のように食物を上部開口１８ａから空間１８内へ導くことができる。
【００１８】
また背面１２には、一対の側面部１１ｂと同一の高さに折曲線１７が設けられ、この折曲線１７によって背面１２は下方部１２ａと上方部１２ｂとに区画されている。上述のように背面１２は、不使用時に丸められまたは折り畳まれて空間１８内に収納されるが、背面１２を丸めまたは折り畳む際、折曲線１７によって折曲作用を容易に行なうことができる。
【００１９】
また背面１２の上方部１２ｂの両側から一対の突片１３ａ，１３ｂが上方に延び、この突片１３ａ，１３ｂによって上述した首掛け部１３が形成されている。また一対の突片１３ａ，１３ｂと、背面１２の上方部１２ｂとによって幼児の首が挿入される開口１４が形成されている。
【００２０】
さらに前面１１の前面部１１ａには係合穴１５が設けられ、背面１１の下方部１２ａには係合穴１５に係合される係合突起１６が設けられている。
【００２１】
次に食事用エプロン１０の材料について述べる。このようなエプロン１０の材料としては、柔軟な合成樹脂材、例えばＥＶＡまたは発泡ＥＶＡが用いられる。
【００２２】
次にこのような構成からなる本実施の形態の作用について説明する。  
まず、図１に示すように食事用エプロン１０の使用時において首掛け部１３が幼児の首に引掛けられ、背面１２が幼児の胸に当接する。
【００２３】
食事中、食物の汚れは、背面１２上に付着する。また食物の一部は上部開口１８ａを介して前面１１と背面１２との間の空間１８内に導かれ、食物の汚れが空間１８内に付くため、幼児の衣類に汚れが付着することはない。
【００２４】
次に食事が終了した不使用時において、エプロン１０の首掛け部１３が幼児の首から取外される。次に必要に応じて、背面１２上あるいは空間１８内に付着した食物の汚れが拭きとられ、あるいは食事用エプロン１０自体が水洗いされる。この場合、エプロン１０は上述のようにＥＶＡ、発泡ＥＶＡ等の柔軟な合成樹脂材からなるので、水洗いを容易に行なうことができる。
【００２５】
次に食事が終了した後、食事用エプロン１０を携帯する場合について述べる。
【００２６】
まず、エプロン１０の首掛け部１３が幼児の首から取外される。次に背面１２が首掛け部１３側から内側へ丸められまたは折り畳まれ、丸められまたは折り畳まれた背面１２が前面１１と背面１２との間の空間１８内に収納される（図１および図２）。この場合、空間１８へ使用済のスプーン２０およびフォーク２１も収納され、空間１８内はスプーン２０およびフォーク２１の収納ケースとして機能する。
【００２７】
なお、空間１８内にスプーン２０およびフォーク２１以外に、ナイフを収納してもよく、さらにこれらスプーン２０、フォーク２１およびナイフのうち少なくとも一つを収納してもよい。
【００２８】
このようにして丸められまたは折り畳まれた背面１２を空間１８内に収納した後、前面１１の前面部１１ａの上部を背面１２側へ回す（図３）。
【００２９】
次に背面１２側へ回された前面部１１ａの係合穴１５に、背面１２の下方部１２ａに設けられた係合突起１６を係合する。このようにして前面１１の前面部１１ａにより空間１８を密閉するとともに、前面部１１ａを背面の下方部１２ａに固定することができる。
【００３０】
以上説明したように本実施の形態によれば、食事用エプロンを手軽に洗浄することができるとともに、コンパクトに持ち運ぶことができ、さらにケースとしても用いることができる。
【００３１】
なお、上記突起の形態において食事用エプロン１０を幼児が使用する例について示したが、これに限らず食事用エプロン１０を老人が使用してもよい。
【００３２】
次に図６乃至図１１により本発明による食事用エプロンの第２の実施の形態について説明する。
【００３３】
図６乃至図１１に示す第２の実施の形態において、背面１２が分割自在の下方部１２ａと上方部１２ｂとから構成され、これら下方部１２ａと上方部１２ｂが締結具２６，２７により互いに連結されている。
【００３４】
図６乃至図１１に示す第２の実施の形態において、図１乃至図５に示す第１の実施の形態と同一部分には同一符号を符して詳細な説明は省略する。
【００３５】
図６乃至図１１において、食事用エプロン１０は前面部１１ａと側面部１１ｂとを有する前面１１と、下方部１２ａと上方部１２ｂとを有する背面１２と、背面１２の上方部１２ｂに設けられた首掛け部１３とを備えている。
【００３６】
このうち背面１２の下方部１２ａと、上方部１２ｂとは分割自在に構成され、上方部１２ｂに設けられた連結突起２６を下方部１２ａの連結開口２７に嵌め込むことにより下方部１２ａと上方部１２ｂとが連結される。
【００３７】
この場合、前面部１１ａと側面部１１ｂとからなる前面１１と、背面１２の下方部１２ａは、軟質ポリエチレンにより一体に成形されている。他方、背面１２の上方部１２ｂと、首掛け部１３の一対の突片１３ａ，１３ｂは柔軟なポリオレフィン系樹脂からなっている。
【００３８】
また首掛け部１３の一方の突片１３ａには複数（２個）の突起２８が設けられ、他方の突片１３ｂには突起２８が係合する複数（８個）の係合穴２９が設けられている。そしてこれら突起２８を所望の係合穴２９内に係合させることにより、首掛け部１３の開口１４の大きさを調整することができる。
【００３９】
また背面１２の上方部１２ｂは幼児の胸に合わせて裏面に向って凹となるよう湾曲し、かつ上方部１２ｂの表面の両側には、食物の汚れが外方へ流出しないような立上げ部３０が設けられている。
【００４０】
図６乃至図１１において、食事用エプロン１０を携帯する場合、まずエプロン１０の首掛け部１３が幼児の首から取外される。次に背面１２の下方部１２ａの連結開口２７から上方部１２ｂの連結突起２６が外されて、下方部１２ａと上方部１２ｂとが分割される。
【００４１】
次に図１０および図１１に示すように、背面１２の上方部１２ｂおよび首掛け部１３が下端側からその裏面を内側にして丸められまたは折り畳まれ、丸められまたは折り畳まれた上方部１２ｂおよび首掛け部１３が上部開口１８ａから前面１１と背面１２との間の空間１８内に収納される。
【００４２】
次に背面１２の下方部１２ａが前面１１側へ折り込まれ、下方部１２ａに設けられた連結開口２７内に、前面１１に設けられた係合突起２５が係合する。このようにして背面１２の下方部１２ａにより空間１８が密閉されるとともに、下方部１２ａを前面１１の前面部１１ａに固定することができる。
【００４３】
次に図１２により本発明による食事用エプロンの第３の実施の形態について説明する。図１２に示す第３の実施の形態は、首掛け部１３の一方の突片１３ａに係止開口３２が設けられ、他方の突片１３ｂの側部に複数の突部３３が設けられ、所望位置にある突部３３を係止開口３２に係止させたものであり、他は図６乃至図１１に示す第２の実施の形態と略同一である。
【００４４】
図１２において、図６乃至図１１に示す第２の実施の形態と同一部分には同一符号を符して詳細な説明は省略する。
【００４５】
図１２に示すように首掛け部１３の一方の突片１３ａの係止開口３２に、他方の突片１３ｂの所望位置にある突部３３を係止させることにより、首掛け部１３の開口１４の大きさを調整して首掛け部１３を幼児の首に引掛けることができる。
【００４６】
なお、首掛け部１３の開口１４の周縁部３４を背面１２の上方部１２ｂと異なる材料、例えば軟質素材により形成してもよい。例えば背面１２の上方部１２ｂをエラストマーで形成し、周縁部３４を同じエラストマーでありながら、より軟質のエラストマーで形成してもよい。いずれにしても硬度を変えることが好ましい。
【図面の簡単な説明】
【００４７】
【図１】本発明による食事用エプロンの第１の実施の形態の使用時を示す図。
【図２】本発明による食事用エプロンの第１の実施の形態の背面を丸めた状態を示す図。
【図３】本発明による食事用エプロンの第１の実施の形態の背面を空間内に収納した図。
【図４】本発明による食事用エプロンの第１の実施の形態の前面を背面に固定した状態を示す図。
【図５】本発明による食事用エプロンの第１の実施の形態の前面および背面を示す拡大側面図。
【図６】本発明による食事用エプロンの第２の実施の形態の使用時を示す図。
【図７】図６のＡ−Ａ縦断面図。
【図８】図６のＢ−Ｂ縦断面図。
【図９】本発明による食事用エプロンの第２の実施の形態を示す側面図。
【図１０】背面の上方部と首掛け部を丸めた状態を示す図。
【図１１】本発明による食事用エプロンの第２の実施の形態の背面を前面に固定した状態を示す図。
【図１２】本発明による食事用エプロンの第３の実施の形態を示す図。
【符号の説明】
【００４８】
１０  食事用エプロン
１１  前面
１１ａ  前面部
１１ｂ  側面部
１２  背面部
１３  首掛け部
１４  開口
１５  係合穴
１６  係合突起
１８  空間
１８ａ  上部開口
２０  スプーン
２１  フォーク
２５  係合突起
２６  連結突起
２７  連結開口
２８  突起
２９  係合穴
３０  立上げ部
３２  係止開口
３３  係合突部
３４  当接面
【図１】
2005089903.tif 000003
【図２】
2005089903.tif 000004
【図３】
2005089903.tif 000005
【図４】
2005089903.tif 000006
【図５】
2005089903.tif 000007
【図６】
2005089903.tif 000008
【図７】
2005089903.tif 000009
【図８】
2005089903.tif 000010
【図９】
2005089903.tif 000011
【図１０】
2005089903.tif 000012
【図１１】
2005089903.tif 000013
【図１２】
2005089903.tif 000014